(57)【特許請求の範囲】
【請求項１】
受け面を有する筐体と、
前記筐体に配設され、光源から出射されるレーザ光が感光体を走査するように偏向する回転多面鏡と、
前記回転多面鏡によって偏向されたレーザ光を前記感光体に導く光学素子と、
前記光学素子を保持し、前記回転多面鏡と前記光学素子との間の距離が調整された状態で前記筐体に対して固定される保持部材と、を有し、
前記保持部材は、
前記筐体に固定される際に前記受け面に当接するベース部と、
前記ベース部から立設された立設壁と、
前記立設壁の厚み方向における前記立設壁の第１面側において前記立設壁に連接して形成され、前記光学素子が固定される固定部と、
前記立設壁の厚み方向における前記立設壁の前記第１面側と反対側の第２面側において前記ベース部に設けられ、前記保持部材と前記筐体とを固定するためのビスが挿通される長孔であって、前記受け面の面方向において前記立設壁の厚み方向と直交する方向に延びる長孔と、
前記立設壁の厚み方向における前記立設壁の前記第２面側において、前記ベース部及び前記立設壁の双方に連接して形成された連接壁と、を一体的に有し、
前記保持部材は、前記連接壁を治具または前記受け面に当接させた状態で、前記固定部に対して前記光学素子を締結具によって固定することが可能であり、
前記固定部は、前記連接壁の厚み方向において、前記治具または前記受け面に当接する面に対して反対側の方向から、前記締結具による締結がなされ、
前記保持部材は、前記長孔に挿通される前記ビスによって前記筐体に対して固定されていることを特徴とする光走査装置。
【請求項２】
前記連接壁は、前記立設壁及び前記ベース部の双方に対して略垂直であることを特徴とする請求項１に記載の光走査装置。
【請求項３】
前記光学素子を前記固定部に対して押圧する押圧バネをさらに有し、
前記固定部は、前記押圧バネが固定されることで、前記光学素子を固定することを特徴とする請求項１または２に記載の光走査装置。
【請求項４】
前記立設壁の厚み方向は、前記感光体に対する前記レーザ光の走査方向と等しいことを特徴とする請求項１乃至３のいずれか１項に記載の光走査装置。
【請求項５】
前記長孔は、前記連接壁の厚み方向に長尺な形状であることを特徴とする請求項１乃至４のいずれか１項に記載の光走査装置。
【請求項６】
前記ベース部は、前記第２面側において前記長孔と同じ方向に延びる位置決め長孔を有し、
前記筐体は、前記位置決め長孔に挿通する突出部を有し、
前記保持部材は、前記突出部を前記位置決め長孔に挿通させた状態で、前記回転多面鏡と前記光学素子との間の距離が調整されることを特徴とする請求項２乃至５のいずれか１項に記載の光走査装置。
【請求項７】
前記保持部材は、前記レーザ光の走査方向において、前記光学素子の一端側を保持する保持部材であり、
前記走査方向において前記光学素子の他端側を保持する他の保持部材をさらに有し、
前記他の保持部材は、
前記筐体に固定される際に前記筐体に当接する他のベース部と、
前記ベース部から立設された他の立設壁と、
前記他の立設壁の厚み方向における前記他の立設壁の第１面側において前記他の立設壁に連接して形成され、前記光学素子の前記他端側が固定される他の固定部と、
前記他の立設壁の厚み方向における前記他の立設壁の第１面側と反対側の第２面側において前記他のベース部に設けられ、前記他の保持部材と前記筐体とを固定するための他のビスが挿通される他の長孔であって、前記受け面の面方向において前記他の立設壁の厚み方向と直交する方向に延びる他の長孔と、
前記他の立設壁の厚み方向における前記他の立設壁の第２面側において、前記他のベース部及び前記他の立設壁の双方に連接して形成された他の連接壁と、を一体的に有し、
前記他の保持部材は、前記他の長孔に挿通される前記他のビスによって前記筐体に対して固定されていることを特徴とする請求項１乃至６のいずれか１項に記載の光走査装置。
【請求項８】
前記感光体と、
前記感光体へレーザ光を走査し、前記感光体上に静電潜像を形成する請求項１乃至７のいずれか１項に記載の光走査装置と、
前記感光体上に形成される静電潜像をトナーを用いて現像することでシート上に画像を形成する画像形成手段と、
を有することを特徴とする画像形成装置。
【請求項９】
受け面を有する筐体と、
前記筐体に配設され、光源から出射されるレーザ光が感光体を走査するように前記レーザ光を偏向する回転多面鏡と、
前記回転多面鏡によって偏向されたレーザ光を前記感光体に導く光学素子と、
前記レーザ光の走査方向における前記光学素子の一端部を保持し、前記筐体に対して固定される第１保持部材と、
前記第１保持部材に対して前記走査方向に所定間隔を保って配置され、前記走査方向における前記光学素子の他端部を保持し、前記筐体に対して固定される第２保持部材と、を有する光走査装置の組み付け方法であって、
前記第１保持部材は、前記筐体に固定される際に前記走査方向における前記筐体の一端側の受け面に当接する第１ベース部と、前記第１ベース部から立設された第１立設壁と、前記第１立設壁の厚み方向における前記第１立設壁の第１面側において前記第１立設壁に連接して形成され、前記光学素子の一端側が固定される第１固定部と、前記第１立設壁の厚み方向における前記第１立設壁の前記第１面側と反対側の第２面側において前記第１ベース部に設けられ、前記第１保持部材と前記筐体とを固定するためのビスが挿通される第１長孔であって、前記受け面の面方向において前記第１立設壁の厚み方向と直交する方向に延びる第１長孔と、前記第１立設壁の厚み方向における前記第１立設壁の前記第２面側において、前記第１ベース部及び前記第１立設壁の双方に連接して形成された第１連接壁と、を一体的に有し、
前記第２保持部材は、前記筐体に固定される際に前記走査方向における前記筐体の他端側の受け面に当接する第２ベース部と、前記第２ベース部から立設された第２立設壁と、前記第２立設壁の厚み方向における前記第２立設壁の第１面側において前記第２立設壁に連接して形成され、前記光学素子の他端側が固定される第２固定部と、前記第２立設壁の厚み方向における前記第２立設壁の前記第１面側と反対側の第２面側において前記第２ベース部に設けられ、前記第２保持部材と前記筐体とを固定するためのビスが挿通される第２長孔であって、前記受け面の当接面方向において前記第２立設壁の厚み方向と直交する方向に延びる第２長孔と、前記第２立設壁の厚み方向における前記第２立設壁の前記第２面側において、前記第２ベース部及び前記第２立設壁の双方に連接して形成された第２連接壁と、を一体的に有し、
前記第１保持部材と前記第２保持部材とが所定間隔を保つように治具に位置決めする位置決め工程と、
前記位置決め工程により位置決めされた前記第１保持部材と前記第２保持部材に対して、前記第１固定部に前記光学素子の一端側を固定し、前記第２固定部に前記光学素子の他端側を固定する第１固定工程と、
前記第１固定工程により前記光学素子が固定された状態で、前記第１ベース部が前記一端側の受け面に当接し、前記第２ベース部が前記他端側の受け面に当接するように前記第１保持部材と前記第２保持部材とを前記筐体に設置する設置工程と、
前記設置工程により前記筐体に設置された前記第１保持部材を前記第１長孔の延びる方向に移動させると共に、前記設置工程により前記筐体に設置された前記第２保持部材を前記第２長孔の延びる方向に移動させることで、前記回転多面鏡と前記光学素子との間の距離を調整する調整工程と、
前記第１ベース部の前記第１長孔に挿通されるビスによって前記第１保持部材を前記筐体に対して固定し、前記第２ベース部の前記第２長孔に挿通されるビスによって前記第２保持部材を前記筐体に対して固定する第２固定工程と、を有する光走査装置の組み付け方法。
【請求項１０】
受け面を有する筐体と、
前記筐体に配設され、光源から出射されるレーザ光が感光体を走査するように前記レーザ光を偏向する回転多面鏡と、
前記回転多面鏡によって偏向されたレーザ光を前記感光体に導く光学素子と、
前記レーザ光の走査方向における前記光学素子の一端部を保持し、前記筐体に対して固定される第１保持部材と、
前記第１保持部材に対して前記走査方向に所定間隔を保って配置され、前記走査方向における前記光学素子の他端部を保持し、前記筐体に対して固定される第２保持部材と、を有する光走査装置の組み付け方法であって、
前記第１保持部材は、前記筐体に固定される際に前記走査方向における前記筐体の一端側の受け面に当接する第１ベース部と、前記第１ベース部から立設された第１立設壁と、前記第１立設壁の厚み方向における前記第１立設壁の第１面側において前記第１立設壁に連接して形成され、前記光学素子の一端側が固定される第１固定部と、前記第１立設壁の厚み方向における前記第１立設壁の前記第１面側と反対側の第２面側において前記第１ベース部に設けられ、前記第１保持部材と前記筐体とを固定するためのビスが挿通される第１長孔であって、前記受け面の面方向において前記第１立設壁の厚み方向と直交する方向に延びる第１長孔と、前記第１立設壁の厚み方向における前記第１立設壁の前記第２面側において、前記第１ベース部及び前記第１立設壁の双方に連接して形成された第１連接壁と、を一体的に有し、
前記第２保持部材は、前記筐体に固定される際に前記走査方向における前記筐体の他端側の受け面に当接する第２ベース部と、前記第２ベース部から立設された第２立設壁と、前記第２立設壁の厚み方向における前記第２立設壁の第１面側において前記第２立設壁に連接して形成され、前記光学素子の他端側が固定される第２固定部と、前記第２立設壁の厚み方向における前記第２立設壁の前記第１面側と反対側の第２面側において前記第２ベース部に設けられ、前記第２保持部材と前記筐体とを固定するためのビスが挿通される第２長孔であって、前記受け面の当接面方向において前記第２立設壁の厚み方向と直交する方向に延びる第２長孔と、前記第２立設壁の厚み方向における前記第２立設壁の前記第２面側において、前記第２ベース部及び前記第２立設壁の双方に連接して形成された第２連接壁と、を一体的に有し、
前記筐体の前記一端側の受け面には、前記第１の保持部材を位置決めする第１突部が突設され、
前記筐体の前記他端側の受け面には、前記第２の保持部材を位置決めする第２突部が突設され、
前記第１連接壁には、前記第１突部が挿通される第１位置決め孔が形成され、
前記第２連接壁には、前記第２突部が挿通される第２位置決め孔が形成され、
前記第１ベース部には、前記第１突部が挿通され、前記第１長孔と同じ方向に延びる第１位置決め長孔が形成され、
前記第２ベース部には、前記第２突部が挿通され、前記第２長孔と同じ方向に延びる第２位置決め長孔が形成され、
前記第１連接壁の前記第１位置決め孔に前記第１突部を挿通すると共に、前記第２連接壁の前記第２位置決め孔に前記第２突部を挿通して、前記第１保持部材と前記第２保持部材が所定間隔を保つように前記筐体に位置決めする位置決め工程と、
前記位置決め工程により位置決めされた前記第１保持部材と前記第２保持部材とに対して、前記第１固定部に前記光学素子の一端側を固定し、前記第２固定部に前記光学素子の他端側を固定する第１固定工程と、
前記第１固定工程により前記光学素子が固定された状態で、前記第１ベース部の前記第１位置決め長孔に前記第１突部を挿通すると共に、前記第２ベース部の前記第２位置決め長孔に前記第２突部を挿通して、前記第１保持部材と前記第２保持部材とを前記筐体に設置する設置工程と、
前記設置工程により前記筐体に設置された前記第１保持部材を前記第１長孔の延びる方向に移動させると共に、前記設置工程により前記筐体に設置された前記第２保持部材を前記第２長孔の延びる方向に移動させることで、前記回転多面鏡と前記光学素子との間の距離を調整する調整工程と、
前記第１ベース部の前記第１長孔に挿通されるビスによって前記第１保持部材を前記筐体に対して固定し、前記第２ベース部の前記第２長孔に挿通されるビスによって前記第２保持部材を前記筐体に対して固定する第２固定工程と、を有する光走査装置の組み付け方法。
【発明の詳細な説明】
【技術分野】
【０００１】
本発明は、光走査装置及びその組み付け方法、画像形成装置に関する。
【背景技術】
【０００２】
従来、複写機等に適用される光走査装置において、回転多面鏡によって偏向されたレーザ光を感光体に導くミラーやレンズ等の光学素子を保持する構成についての工夫がなされている。
【０００３】
特許文献１には、光学素子（ミラー）の保持機構として、一体的に形成されたミラー枠の端部にミラーの反射面側に当接可能な支持片と調整板を取り付け、ミラーの姿勢を調整するものが記載されている。支持片と調整板はスライド部材から立設してあり、スライド部材はフレームに備えられたガイドバーの上を移動する。
【０００４】
また、特許文献２には、フレームの側面に開口を設け、開口の外側から取り付けられた帯板状の支持板によってミラーを保持し、支持板の調整によってミラーの位置や角度を調整する機構が記載されている。
【０００５】
ミラーキャリッジのように、フレームの内部を光学素子が移動可能に配設されたものは、一般に、光学素子の保持機構がミラー枠を有して一体的に構成される。この構成においては、ミラー枠自体に高い剛性があるから、スライド部材に対して支持片や調整板が立設された状態にあっても保持機構は振動しにくく、光学素子の振動も軽減される。
【先行技術文献】
【特許文献】
【０００６】
【特許文献１】実開平５−３３１０８号公報
【特許文献２】特開２００３−９０９５１号公報
【発明の概要】
【発明が解決しようとする課題】
【０００７】
組み付け後の光学素子の移動がない光走査装置においては、通常、ミラー枠のような部材は不要である。しかしミラー枠を設けない場合、光学素子の保持機構の剛性が弱まるため保持機構の振動は大きくなり、それに伴って光学素子の振動も大きくなる。
【０００８】
また、光学素子の保持機構において、光学素子を保持するための略平板状の保持板をフレームの側面より取り付ける構成においては特に、フレーム側壁の倒れ方向の振動によって保持板が振動しやすく、その結果、光学素子も振動しやすい。
【０００９】
光学素子が長手方向に対して撓むように振動すると、感光体上に走査されるレーザ光の副走査位置が周期的に数μｍ程度ずれ、いわゆるピッチむらが発生するおそれがある。
【００１１】
本発明は上記従来技術の問題を解決するためになされたものであり、その目的は、保持部材の立設壁を補強して光学素子の振動を抑制することにある。
【課題を解決するための手段】
【００１２】
上記目的を達成するために本発明は、受け面を有する筐体と、前記筐体に配設され、光源から出射されるレーザ光が感光体を走査するように偏向する回転多面鏡と、前記回転多面鏡によって偏向されたレーザ光を前記感光体に導く光学素子と、前記光学素子を保持し、前記回転多面鏡と前記光学素子との間の距離が調整された状態で前記筐体に対して固定される保持部材と、を有し、前記保持部材は、前記筐体に固定される際に前記受け面に当接するベース部と、前記ベース部から立設された立設壁と、前記立設壁の厚み方向における前記立設壁の第１面側において前記立設壁に連接して形成され、前記光学素子が固定される固定部と、前記立設壁の厚み方向における前記立設壁の前記第１面側と反対側の第２面側において前記ベース部に設けられ、前記保持部材と前記筐体とを固定するためのビスが挿通される長孔であって、前記受け面の面方向において前記立設壁の厚み方向と直交する方向に延びる長孔と、前記立設壁の厚み方向における前記立設壁の前記第２面側において、前記ベース部及び前記立設壁の双方に連接して形成された連接壁と、を一体的に有し、前記保持部材は、前記連接壁を治具または前記受け面に当接させた状態で、前記固定部に対して前記光学素子を締結具によって固定することが可能であり、前記固定部は、前記連接壁の厚み方向において、前記治具または前記受け面に当接する面に対して反対側の方向から、前記締結具による締結がなされ、前記保持部材は、前記長孔に挿通される前記ビスによって前記筐体に対して固定されていることを特徴とする。
【発明の効果】
【００１３】
本発明によれば、保持部材の立設壁を補強して光学素子の振動を抑制することができる。
【図面の簡単な説明】
【００１４】
【図１】第１の実施の形態に係る光走査装置が適用される画像形成装置の概略構成を示す断面図である。
【図２】光走査装置の概略の斜視図である。
【図３】光走査装置の概略の断面図である。
【図４】光走査装置の概略の上視図である。
【図５】保持部材の斜視図である。
【図６】保持部材の斜視図である。
【図７】組立台の斜視図である。
【図８】組立台を用いた光学ハウジングへの反射ミラー及び一対の保持部材の組み付け途中の状態を示す図である。
【図９】反射ミラー及び一対の保持部材の組み付け途中の状態を示す、図８のＡ−Ａ線に沿う部分断面図である。
【図１０】反射ミラー及び一対の保持部材の組み付け途中の状態を示す図である。
【図１１】反射ミラー及び一対の保持部材の組み付け途中の状態を示す図である。
【図１２】第２の実施の形態における保持部材の斜視図である。
【図１３】保持部材の斜視図である。
【図１４】光学ハウジングへの反射ミラー及び保持部材の組み付け途中の状態を示す図である。
【図１５】反射ミラー及び保持部材の組み付け途中の状態を示す図である。
【図１６】反射ミラー及び保持部材の組み付け途中の状態を示す、図１５のＢ−Ｂ線に沿う部分断面図である。
【図１７】反射ミラー及び保持部材の組み付け途中の状態を示す図である。
【図１８】反射ミラー及び保持部材の組み付け途中の状態を示す図である。
【発明を実施するための形態】
【００１５】
以下、本発明の実施の形態を図面を参照して説明する。
【００１６】
（第１の実施の形態）
図１は、本発明の第１の実施の形態に係る光走査装置が適用される画像形成装置の概略構成を示す断面図である。
【００１７】
光走査装置が適用される装置に限定はなく、複写機やプリンタ等の画像形成装置が想定されるが、本実施の形態では、電子写真方式を採用したデジタル複写機を例示する。
【００１８】
この複写機は、走査光学系１２を有するリーダ部１で読み取った画像情報を光電変換して画像形成部２に転送し、給紙部３によって給送された転写材Ｓ上に画像形成部２で画像形成を行う。画像形成後の転写材Ｓは定着装置４に搬送され、熱及び圧力により転写画像が定着される。
【００１９】
以下、画像が形成されて排紙されるまでのプロセスについて説明する。まず、リーダ部１において原稿台ガラス１１上に載置された原稿Ｄが、走査光学系１２により光照射され、その反射光が縮小レンズ１３を介してＣＣＤ１４に結像され光電変換される。次にこの画像情報がＡ／Ｄ変換された後にメモリへと転送される。なお、この複写機はプリンタとしての機能を備えてもよく、その場合、上記画像情報は外部ＰＣ（パーソナルコンピュータ）等から与えられるものでも良い。複写機の下部には、転写材Ｓを積載収納した給紙カセット３１、３２が着脱可能に装着されており、タイミングを合わせて画像形成部２に転写材Ｓが搬送される。
【００２０】
画像形成部２では、リーダ部１によって読み取られてメモリに蓄えられた画像情報を基に、感光体２１上に対し、光走査装置５によって感光体２１の回転軸の軸線方向にレーザ光を走査させる。この際のレーザ光の走査方向は、図１の奥行き方向であり、これが主走査方向である。
【００２１】
画像形成部２は、レーザ光の走査により、予め帯電器２２によって帯電させてある感光体２１の表面に潜像画像を形成する。この潜像は、感光体２１の周囲に設けられた現像器２３によって現像され、転写前ローラ対２４によって搬送された転写材Ｓに転写帯電器２５によってトナー像が形成される。画像転写後にドラム面に残留するトナーはクリーナ２６によって除去される。
【００２２】
トナー像が転写された転写材Ｓは、搬送ベルト８によって定着装置４に導かれ、定着ローラ対４１、４２を通過する際に熱及び圧力が印加されてトナー像が融着される。画像定着後の転写材Ｓは排出ローラ対６１を介して装置外へ排出される。
【００２３】
図２、図３、図４は、それぞれ、光走査装置５の概略の斜視図、断面図、上視図である。
【００２４】
光走査装置５は筐体としての光学ハウジング９０を有する。光学ハウジング９０は平面視で概ね矩形をなし、四方に側壁を有する。主として光学ハウジング９０の側壁の内側に、各種の部品が配設される。
【００２５】
まず、光源ユニット５２は、不図示の半導体レーザ、当該半導体レーザを駆動する駆動電気基板５２ａ、コリメータレンズ鏡筒５２ｂ、コリメータレンズ５２ｃ、及び不図示の開口絞りを有して、水平方向に平行なレーザ光を出射する。
【００２６】
シリンダーレンズ５３は、上下方向に屈折力を有する。偏向部５１は、レーザ光を偏向し走査する。レーザ光はポリゴンミラー５１ａ（回転多面鏡）の回転によって偏向される。ポリゴンミラー５１ａは、駆動基板５１ｂ上に実装されたポリゴンモータ（不図示）によって回転駆動され、駆動基板５１ｂにはポリゴンモータを駆動するモータ駆動回路（不図示）が実装される。
【００２７】
レーザ光を感光体２１上に所定のスポット径で結像するためのレンズとして、トーリックレンズ５４及びシリンダーレンズ５５が設けられる。トーリックレンズ５４の上方に反射ミラー５７が配置される。これら、トーリックレンズ５４、シリンダーレンズ５５及び反射ミラー５７は、光学ハウジング９０に対し、不図示の位置決め及び支持機構によって支持されている。
【００２８】
ポリゴンミラー５１ａからトーリックレンズ５４及びシリンダーレンズ５５を通る光路上において、シリンダーレンズ５５を挟んでポリゴンミラー５１ａの反対側に反射ミラー５６が配設される。反射ミラー５６は、シリンダーレンズ５５を通過したレーザ光を反射ミラー５７に向けて反射させる。従って、光路上におけるシリンダーレンズ５５と反射ミラー５７との間に反射ミラー５６が位置する。
【００２９】
光源ユニット５２より放射されたレーザ光はポリゴンミラー５１ａによって偏向され、レンズ５４、５５を通った後、ミラー５６、５７で反射し、光学ハウジング９０の底部に形成された開口部１９７を通って感光体２１上を走査する。
【００３０】
図４において、ミラー５６、５７の長手方向（図４の図面上の上下方向）は主走査方向に対応する所定方向であり、主走査方向とは平行である。そこで、以降、光学ハウジング９０内での方向を特定する際にも、便宜上、ミラー５６、５７の長手方向を主走査方向と呼称する。
【００３１】
反射ミラー５６は、本発明における光学素子の一例とされ、その組み付けに関する詳細は後述する。反射ミラー５６は、主走査方向に長尺な光学素子であり、その両端部が一対の保持部材９１、９２に保持される。光学ハウジング９０内において、保持部材９１、９２はそれぞれ、図１の手前側、奥側に配置される。反射ミラー５６は、その両端部が保持部材９１、９２に対して板バネ９３、９４によって付勢された状態で保持部材９１、９２に支持される。
【００３２】
保持部材９１、９２は、光学ハウジング９０の載置面９０１、９０２（受け面）にそれぞれビス９７、９８によって固定される（図４参照）。ただし、ビス９７、９８を緩めると、保持部材９１、９２は、それぞれ独立して載置面９０１、９０２上を矢印Ｐ方向に移動可能となり、位置を調整できる。
【００３３】
載置面９０１、９０２は互いに平行である。載置面９０１、９０２の面方向は、図３に示すように、水平方向に対して図３の右方に少し傾斜しており、矢印Ｐ方向は、主走査方向に直交し且つ載置面９０１、９０２の面方向に平行な方向である。
【００３４】
いずれも矢印Ｐ方向に沿って、載置面９０１には突起部９０１ａ、９０１ｂが突設され、載置面９０２には突起部９０２ａ、９０２ｂが突設されている。主走査方向における突起部９０１ａと突起部９０１ｂの位置は同じであり、主走査方向における突起部９０２ａと突起部９０２ｂの位置は同じである。
【００３５】
保持部材９１には、突起部９０１ａ、９０１ｂに対応する長孔である位置決め孔９１２ｂ、９１２ｃが設けられ、保持部材９２には、突起部９０２ａ、９０２ｂに対応する長孔である位置決め孔９２２ｂ、９２２ｃが設けられる。位置決め孔９１２ｂ、９１２ｃに突起部９０１ａ、９０１ｂを挿通し係合させることで、主走査方向における保持部材９１の位置が規制される。位置決め孔９２２ｂ、９２２ｃに突起部９０２ａ、９０２ｂを挿通し係合させることで、主走査方向における保持部材９２の位置が規制される。
【００３６】
保持部材９１、９２の主走査方向における位置がそれぞれ規制された状態で、ビス９７、９８により保持部材９１、９２が載置面９０１、９０２に固定されることで、主走査方向における保持部材９１と保持部材９２との間隔が所定間隔に保たれる。
【００３７】
図５（ａ）、（ｂ）は、保持部材９１の斜視図である。
【００３８】
保持部材９１は、樹脂または金属等で一体に形成される。保持部材９１は、いずれも板状で面方向が互いに略垂直の、ベース部９１２、立設壁９１４及び連接壁９１３を有する。すなわち、ベース部９１２から立設壁９１４が立設され、ベース部９１２及び立設壁９１４の双方に連接して連接壁９１３が形成される。
【００３９】
立設壁９１４の厚み方向における一方の側を第１の側とし、他方の側を第２の側とする。一対の保持部材９１、９２が光学ハウジング９０に取り付けられた状態においては（図４）、立設壁９１４の厚み方向が主走査方向と一致する。光学ハウジング９０への取り付け状態において、保持部材９１の立設壁９１４の、主走査方向における保持部材９２に対向する側（主走査方向内側）が第１の側であり、その反対側（主走査方向外側）が第２の側である。
【００４０】
立設壁９１４の第１の側には、延設片９１５、９１６が延設される。これら延設片９１５、９１６の面方向は互いに平行で、ベース部９１２及び立設壁９１４の双方に対して略垂直である。第１の側において、延設片９１５、９１６間に、反射ミラー５６の一方の端部を位置決めしつつ支持する支持部９１１が構成される。
【００４１】
延設片９１５には、突条状の位置規制部９１１ａ、９１１ｂが形成され、ベース部９１２には、突条状の位置規制部９１１ｄが形成される。これら位置規制部９１１ａ、９１１ｂ、９１１ｄは、反射ミラー５６の一方の端部に当接して、主走査方向に直交し且つ互いに直交する２方向における反射ミラー５６の一方の端部の位置を規制する。すなわち、位置規制部９１１ａ、９１１ｂは、反射ミラー５６の反射面を受けて矢印Ｐ方向（図３）における位置を規制し、位置規制部９１１ｄは、主走査方向及び矢印Ｐ方向の双方に垂直な方向における位置を規制する。従って、反射ミラー５６を支持部９１１に支持させることで主走査方向に直交する２方向への位置決めを行える。延設片９１６には、板バネ９３を固定するためのタップ孔９１１ｅが形成される。
【００４２】
立設壁９１４の第２の側において、ベース部９１２には、上記した位置決め孔９１２ｃと位置決め孔９１２ｂとの間に締結孔９１２ａが形成される。孔９１２ａ、９１２ｂ、９１２ｃはいずれも、保持部材９１の光学ハウジング９０への取り付け状態において、矢印Ｐ方向に長い長孔である。締結孔９１２ａは、ビス９７（図２参照）によって載置面９０１に対してベース部９１２を締結固定するのに使用される。
【００４３】
連接壁９１３は、ベース部９１２及び立設壁９１４を繋ぐように、両者から垂直に立設された形態となっているので、立設壁９１４をその厚み方向に対して補強する効果を有する。反射ミラー５６を支持する部分（支持部９１１）と、載置面９０１に固定される部分（ベース部９１２のうち第２の側の部分）とは、立設壁９１４を挟んで反対側に位置する。そのため、立設壁９１４の剛性が低いと、立設壁９１４が厚み方向に倒れやすく、反射ミラー５６を支持する部分が振動しやすくなる。しかし連接壁９１３によって立設壁９１４が効果的に補強されることで、立設壁９１４、ひいては支持部９１１の振動が抑制される。なお、延設片９１５、９１６も立設壁９１４を補強する効果を有する。
【００４４】
連接壁９１３には、丸孔９１３ｂ、長孔９１３ｃが形成される。連接壁９１３のうち、孔９１２ａ、９１２ｂ、９１２ｃがある側の面を内面９１３ｄ（図５（ａ）参照）とし、それの反対側の面を外面９１３ａ（図５（ｂ）参照）とする。
【００４５】
保持部材９１、９２の光学ハウジング９０への取り付け状態において、主走査方向における孔９１２ａ、９１２ｂ、９１２ｃ、９１３ｂ、９１３ｃの中心位置（各孔の短手方向における中心位置）は一致している。
【００４６】
図６（ａ）、（ｂ）は、保持部材９２の斜視図である。
【００４７】
保持部材９２は、樹脂等で一体に形成される。保持部材９２は、いずれも板状で面方向が互いに略垂直の、ベース部９２２、立設壁９２４及び連接壁９２３を有する。すなわち、ベース部９２２から立設壁９２４が立設され、ベース部９２２及び立設壁９２４の双方に連接して連接壁９２３が形成される。
【００４８】
光学ハウジング９０への取り付け状態において、保持部材９２は、保持部材９１に対して、主走査方向において基本的に対称であり、保持部材９１が有する構成要素と対応する構成要素を有している。
【００４９】
保持部材９２において、保持部材９１のベース部９１２、立設壁９１４及び連接壁９１３に、ベース部９２２、立設壁９２４及び連接壁９２３が対応する。同様に、支持部９１１、延設片９１５、９１６に、支持部９２１、延設片９２５、９２６が対応する。位置規制部９１１ａ、９１１ｂに位置規制部９２１ｃが対応し、位置規制部９１１ｄに位置規制部９２１ｄが対応する。ベース部９１２の位置決め孔９１２ｂ、９１２ｃ、締結孔９１２ａに、ベース部９２２の位置決め孔９２２ｂ、９２２ｃ、締結孔９２２ａが対応する。連接壁９１３の丸孔９１３ｂ、長孔９１３ｃ、内面９１３ｄ、外面９１３ａに、連接壁９２３の丸孔９２３ｂ、長孔９２３ｃ、内面９２３ｄ、外面９２３ａが対応する。延設片９２６には、板バネ９４を固定するためのタップ孔９２１ｅが形成される。
【００５０】
保持部材９２に関しては、光学ハウジング９０への取り付け状態において、立設壁９２４の、主走査方向における保持部材９１に対向する側（主走査方向内側）が第１の側であり、その反対側（主走査方向外側）が第２の側である。位置規制部９２１ｃ、９２１ｄは、反射ミラー５６の他方の端部に当接して、矢印Ｐ方向（図３）と、主走査方向及び矢印Ｐ方向の双方に垂直な方向とにおける反射ミラー５６の位置を規制する。
【００５１】
なお、位置規制部９２１ｃは１本であるが、位置規制部９１１ａ、９１１ｂと同様に２本設けてもよい。なお、保持部材９１、９２のいずれにおいても、延設片９１５、９２５に形成される突条状の位置規制部、ベース部９１２、９２２に形成される突条状の位置規制部の数については、それぞれ１本でも複数でもよく、３本以上でもよい。
【００５２】
組立台７を用いた反射ミラー５６を保持部材９１、９２に保持させて保持部材９１、９２を光学ハウジング９０に取り付けるには、治具としての組立台７を用いる。以下、図７〜図１１で、反射ミラー５６及び保持部材９１、９２の組み付け方法について説明する。
【００５３】
図７は、組立台７の斜視図である。図８〜図１１は、組立台７を用いた光学ハウジング９０への反射ミラー５６及び保持部材９１、９２の組み付け途中の状態を示す図である。特に図９は、図８のＡ−Ａ線に沿う部分断面図である。
【００５４】
図７に示すように、組立台７は長尺のベース部材７１を有し、ベース部材７１の両端部において、基準面７ａに、位置決めピン７４ａ、７４ｂと位置決めピン７５ａ、７５ｂとが離間して突設形成されている。さらに位置決めピン７４ａ、７４ｂ及び位置決めピン７５ａ、７５ｂに対応して、クランプ部材７２及びクランプ部材７３が取付けられている。位置決めピン７４ａと位置決めピン７４ｂとはベース部材７１の短手方向に配列される。位置決めピン７５ａと位置決めピン７５ｂとはベース部材７１の短手方向に配列される。ベース部材７１の長手方向における位置決めピン７４ａ、７４ｂと位置決めピン７５ａ、７５ｂとの間隔は、主走査方向における突起部９０１ａ、９０１ｂと突起部９０２ａ、９０２ｂとの間隔（所定間隔）と同等となるように、設計上は一致している。
【００５５】
組み付けは次の手順でなされる。まず、図８に示すように、作業者は、保持部材９１、９２の連接壁９１３、９２３の外面９１３ａ、９２３ａを、各々、組立台７の基準面７ａに対向させる。そして、作業者は、丸孔９１３ｂ、長孔９１３ｃに位置決めピン７４ａ、７４ｂが挿通されると共に、丸孔９２３ｂ、長孔９２３ｃに位置決めピン７５ａ、７５ｂが挿通されるように、外面９１３ａ、９２３ａを基準面７ａに当接させる。これにより、組立台７上において、保持部材９１、９２の配置間隔が所定間隔に位置決めされる。その後、作業者は、クランプ部材７２、７３によって、保持部材９１、９２をベース部材７１に固定する。
【００５６】
次に、図８、図９に示すように、反射ミラー５６を、支持部９１１、９２１内に矢印Ｒ方向から挿し入れる。なお、図９では保持部材９２の近傍しか示されていないが、保持部材９１においても組み付けの態様は同じである。
【００５７】
その後、作業者は、板バネ９３、９４を矢印Ｓ方向から取り付ける。板バネ９３、９４は、延設片９１６、９２６を挟み込むように装着される。そして、作業者は、締結具としての固定ビス９５、９６で矢印Ｔ方向から板バネ９３、９４を延設片９１６、９２６に固定する。これにより、反射ミラー５６は、その両端部が板バネ９３，９４によって位置規制部９１１ａ、９１１ｂ、位置規制部９２１ｃ側に付勢された状態で支持部９１１、９２１に固定される。
【００５８】
ここで、Ｕ方向は基準面７ａの法線方向に平行である。矢印Ｓ方向、矢印Ｔ方向、矢印Ｒ方向はいずれも、各々に平行な直線とＵ方向に平行な直線とが基準面７ａの表側で成す角度が、９０°未満となるよう設定されている。言い換えると、連接壁９１３、９２３の厚み方向における、基準面７ａに当接する側とは反対の側（内面９１３ｄ、９２３ｄの側）から、反射ミラー５６の設置や固定ビス９５、９６による締結がなされる。特に矢印Ｓ方向、矢印Ｔ方向は、Ｕ方向にほぼ平行である。このような組み付け方向の設定により、組立台７の存在によって組み付けが阻害されることがない。例えば、板バネ９３、９４、固定ビス９５、９６、反射ミラー５６が組立台７に干渉することなく、反射ミラー５６を保持部材９１、９２に固定することができる。
【００５９】
図１０に示すように、適切な間隔を保った保持部材９１、９２は、反射ミラー５６を支持した状態で組立台７に保持される。この状態のまま、作業者は、組立台７ごと、ベース部９１２、９２２が載置面９０１、９０２に対向するように保持部材９１、９２を光学ハウジング９０に設置する。その際、保持部材９１、９２の位置決め孔９１２ｂ、９１２ｃ、９２２ｂ、９２２ｃに光学ハウジング９０の突起部９０１ａ、９０１ｂ、９０２ａ、９０２ｂを係合させる。保持部材９１、９２の間隔が組立台７上で既に所定間隔に規制されているため、これら位置決め孔と突起部との係合は円滑である。
【００６０】
次に、図１１に示すように、作業者は、保持部材９１、９２を、載置面９０１、９０２にそれぞれビス９７、９８によって固定する。その後、作業者は、組立台７のクランプ部材７２、７３を開放すると共に、位置決めピン７４ａ、７４ｂ、７５ａ、７５ｂと孔９１３ｂ、９１３ｃ、９２３ｂ、９２３ｃとの係合を解き、組立台７を取り外す。
【００６１】
なお、組立台７の取り外しは、保持部材９１、９２が適切な間隔を保って且つ反射ミラー５６を支持した状態で組立台７に保持された（図１０に示す状態となった）後であれば、いつでもよい。組立台７を取り外しても、反射ミラー５６の両端部に保持部材９１、９２が適切な間隔を保って一体となった状態が維持されるので、組立台７を取り外した後で、保持部材９１、９２を光学ハウジング９０に設置してもよい。
【００６２】
組立台７を取り外すと、図２〜図４に示す組み付け完了状態となる。上述したように、ビス９７、９８を緩めることで、矢印Ｐ方向における保持部材９１、９２の位置が独立して調整可能である。載置面９０１、９０２上において矢印Ｐ方向に保持部材９１、９２を移動させても、位置決め孔９１２ｂ、９１２ｃに突起部９０１ａ、９０１ｂが係合し、位置決め孔９２２ｂ、９２２ｃに突起部９０２ａ、９０２ｂが係合している。そのため、主走査方向における保持部材９１、９２の変位が規制され、両者の間隔も維持される。下記に説明するように、作業者は、保持部材９１、９２の位置を所望の位置に決めた後に、改めてビス９７、９８で保持部材９１、９２を固定する。これにより調整が完了する。
【００６３】
次に光走査装置５内での反射ミラー５６の位置調整の目的と方法を説明する。
【００６４】
光走査装置５は面倒れ補正光学系を備えている。この面倒れ補正光学系により、レーザ光は、ポリゴンミラー５１ａの反射面毎の角度のばらつき（所謂、面倒れ）によらず、感光体２１上の副走査方向における同一箇所に結像する。その結果、ポリゴンミラー５１ａの面倒れによるピッチむらが軽減される。
【００６５】
ただし、ポリゴンミラー５１ａと各レンズやミラーの距離、各レンズやミラーと感光体２１の距離が所定の関係（所謂、共役関係）にあるときに最も軽減され、所定の関係からのずれ量に応じてピッチむらが増大していく。
【００６６】
またレンズ５４、５５が走査平面に垂直な軸周り（図４の時計または半時計回り）に回転する方向にずれて配置された場合は、主走査方向における両端でポリゴンミラー５１ａとレンズ５４、５５との距離が変化する。よって反射ミラー５６と感光体２１との距離も主走査方向における両端で各々調整する必要がある。
【００６７】
主に図３、図４を参照して、反射ミラー５６の位置調整方法を説明する。この調整は不図示の調整装置を用いて行われる。
【００６８】
作業者は、組立台７を取り外した光走査装置５を調整装置に載置し、ビス９７、９８を少し緩める。感光体２１に相当する距離において主走査方向の両端に相当する位置に、保持部材９１、９２に対応してセンサ（不図示）が配設される。これらのセンサによって、ポリゴンミラー５１ａの回転に伴うレーザ光の副走査方向（被走査面内で主走査方向に垂直な方向）への振れ量を測定する。
【００６９】
作業者は、保持部材９１側のセンサによって振れ量を測定しながら不図示の調整手段によって保持部材９１を矢印Ｐ方向に移動させる。振れ量が最も小さくなったところで、再度、ビス９７を締めつけ、保持部材９１を固定する。同様に作業者は、保持部材９２側のセンサによって振れ量を測定し、振れ量が最小となるように保持部材９２を調整し、固定する。このように主走査方向の両端部で適切な調整を行うと、中間部も含め全域で適切な調整が行われる。
【００７０】
ここで光路長が変化することで、感光体２１上に照射されるレーザ光の副走査方向の位置も変化することになる。しかし用紙先端に対する画像の書き出し位置を用紙の送り出しのタイミングを変更することで調整できるため問題はない。
【００７１】
本実施の形態によれば、保持部材９１については、立設壁９１４の厚み方向における支持部９１１とは反対側（第２の側）において、ベース部９１２及び立設壁９１４の双方に連接して連接壁９１３が形成される。保持部材９２についても同様に構成される。これにより、立設壁９１４、９２４を補強してその主走査方向への倒れ変位が抑制されるので、光学素子（反射ミラー５６）の振動を抑制することができる。従って、光学素子が長手方向に対して撓みにくくなり、ピッチむらの発生を抑制することができる。
【００７２】
特に、連接壁９１３、９２３は、ベース部９１２、９２２及び立設壁９１４、９２４の双方に対して略垂直であるので、立設壁９１４、９２４の補強効果が高い。
【００７３】
また、治具である組立台７に対する保持部材９１、９２の組み付けにおいては、連接壁９１３、９２３の厚み方向における、基準面７ａに当接する側とは反対の側（外面９１３ａ、９２３ａの側）から、固定ビス９５、９６による締結がなされる。これにより、組立台７が邪魔になることなく反射ミラー５６を保持部材９１、９２に固定することができる。
【００７４】
また、保持部材９１、９２を組立台７に組み付ける際、組立台７の位置決めピン７４ａ、７４ｂ、７５ａ、７５ｂと連接壁９１３、９２３の孔９１３ｂ、９１３ｃ、９２３ｂ、９２３ｃとを係合させる。これにより、主走査方向における一対の保持部材９１、９２の配置間隔を所定間隔に位置決めできる。一旦このように位置決めして反射ミラー５６を固定してから、保持部材９１、９２を光学ハウジング９０の載置面９０１、９０２に固定するという工程を経るので、光学ハウジング９０への取り付け時に保持部材９１、９２の間隔を調整する必要がない。よって、煩雑さが解消され、反射ミラー５６の組み付け作業を容易にすることができる。
【００７５】
なお、仮に、保持部材９１、９２がアルミダイキャスト等の金属材で形成されている場合に、保持部材９１、９２を先に光学ハウジング９０に固定してから反射ミラー５６を固定する工程を採用したとする。すると、取り付け作業時に光学ハウジング９０の突起部９０１ａ、９０１ｂ、９０２ａ、９０２ｂによって反射ミラー５６の蒸着面が削られるおそれがある。その削り粉が反射ミラー５６の反射面に付着すると、レーザ光のケラレが発生し、画像上の縦スジという画像不良を生じさせるおそれがある。しかし本実施の形態では、上述したような工程を経ることで、反射ミラー５６の蒸着面が保護される。
【００７６】
（第２の実施の形態）
本発明の第２の実施の形態では、第１の実施の形態に対し、保持部材の形状が異なるが、光学ハウジング９０の構成は同様である。また、反射ミラー５６の光学ハウジング９０への取り付けに際し、組立台７を用いることを必要としない。従って、図５、図６に代えて図１２、図１３を用いて保持部材を説明すると共に、図７〜図１１に代えて図１４〜図１８を用いて組み付け方法について説明する。
【００７７】
図１２（ａ）、（ｂ）、図１３（ａ）、（ｂ）は、第２の実施の形態における保持部材の斜視図である。図１２（ａ）、（ｂ）で、保持部材９１に相当する保持部材１０１を示し、図１３（ａ）、（ｂ）で、保持部材９２に相当する保持部材１０２を示す。
【００７８】
保持部材１０１、１０２は、保持部材９１、９２に対して、各部の寸法形状が相違するが、基本的構成は同様であり、対応する構成要素を有する。
【００７９】
まず、図１２（ａ）、（ｂ）に示すように、保持部材１０１については、ベース部１０１２から立設壁１０１４が立設され、ベース部１０１２及び立設壁１０１４の双方に連接して連接壁１０１３が形成される。立設壁１０１４の第１の側に支持部９１１に相当する支持部１０１１が構成される。
【００８０】
保持部材１０１における、位置決め孔１０１２ｂ、１０１２ｃ、締結孔１０１２ａは、図５（ａ）、（ｂ）に示す保持部材９１の位置決め孔９１２ｂ、９１２ｃ、締結孔９１２ａに相当する。保持部材１０１における、延設片１０１５、１０１６、位置規制部１０１１ａ、１０１１ｂ、１０１１ｄ、タップ孔１０１１ｅは、保持部材９１の延設片９１５、９１６、位置規制部９１１ａ、９１１ｂ、９１１ｄ、タップ孔９１１ｅに相当する。保持部材１０１における、丸孔１０１３ｂ、長孔１０１３ｃ、内面１０１３ｄ、外面１０１３ａは、保持部材９１の丸孔９１３ｂ、長孔９１３ｃ、内面９１３ｄ、外面９１３ａに相当する。
【００８１】
同様に、図１３（ａ）、（ｂ）に示すように、保持部材１０２については、ベース部１０２２から立設壁１０２４が立設され、ベース部１０２２及び立設壁１０２４の双方に連接して連接壁１０２３が形成される。立設壁１０２４の第１の側に支持部９２１に相当する支持部１０２１が構成される。
【００８２】
保持部材１０２における、位置決め孔１０２２ｂ、１０２２ｃ、締結孔１０２２ａは、図６（ａ）、（ｂ）に示す保持部材９２の位置決め孔９２２ｂ、９２２ｃ、締結孔９２２ａに相当する。保持部材１０２における、延設片１０２５、１０２６、位置規制部１０２１ｃ、位置規制部１０２１ｄ、タップ孔１０２１ｅは、保持部材９２の延設片９２５、９２６、位置規制部９２１ｃ、位置規制部９２１ｄ、タップ孔９２１ｅに相当する。保持部材１０２における、丸孔１０２３ｂ、長孔１０２３ｃ、内面１０２３ｄ、外面１０２３ａは、保持部材９２の丸孔９２３ｂ、長孔９２３ｃ、内面９２３ｄ、外面９２３ａに相当する。
【００８３】
以下、図１４〜図１８で、反射ミラー５６及び保持部材９１、９２の組み付け方法について説明する。
【００８４】
図１４〜図１８は、光学ハウジング９０への反射ミラー５６及び保持部材１０１、１０２の組み付け途中の状態を示す図である。なお、図１４〜図１８では、わかりやすくするために光学ハウジング９０の一部を切り欠いて示してある。特に図１６は、図１５のＢ−Ｂ線に沿う部分断面図である。
【００８５】
組み付けは次の手順でなされる。まず、図１４に示すように、作業者は、保持部材１０１、１０２の連接壁１０１３、１０２３の外面１０１３ａ、１０２３ａを、各々、光学ハウジング９０の載置面９０１、９０２に対向させる。そして作業者は、丸孔１０１３ｂ、長孔１０１３ｃに突起部９０１ｂ、９０１ａが挿通されると共に、丸孔１０２３ｂ、長孔１０２３ｃに突起部９０２ｂ、９０２ａが挿通されるように、外面１０１３ａ、１０２３ａを載置面９０１、９０２に当接させる。これにより、載置面９０１、９０２上において、保持部材１０１、１０２の配置間隔が所定間隔に位置決めされる。
【００８６】
次に、図１５、図１６に示すように、反射ミラー５６を、支持部１０１１、１０２１内に矢印Ｒ方向から挿し入れる。なお、図１６では保持部材１０２の近傍しか示されていないが、保持部材１０１においても組み付けの態様は同じである。
【００８７】
その後、作業者は、板バネ９３、９４を矢印Ｓ方向から取り付ける。板バネ９３、９４は、延設片１０１６、１０２６を挟み込むように装着される。そして、作業者は、固定ビス９５、９６で矢印Ｔ方向から板バネ９３、９４を延設片１０１６、１０２６に固定する。これにより、反射ミラー５６は、その両端部が板バネ９３，９４によって位置規制部１０１１ａ、１０１１ｂ、位置規制部１０２１ｃ側に付勢された状態で支持部１０１１、１０２１に固定される。
【００８８】
ここで、Ｕ方向は、載置面９０１、９０２の法線方向に平行である。そして、矢印Ｓ方向、矢印Ｔ方向、矢印Ｒ方向はいずれも、各々に平行な直線とＵ方向に平行な直線とが、載置面９０１、９０２の表側で成す角度が、９０°未満となるよう設定されている。言い換えると、連接壁１０１３、１０２３の厚み方向における、載置面９０１、９０２に当接する側とは反対の側（内面１０１３ｄ、１０２３ｄの側）から、反射ミラー５６の設置や固定ビス９５、９６による締結がなされる。特に矢印Ｓ方向、矢印Ｔ方向はＵ方向にほぼ平行である。このような組み付け方向の設定により、光学ハウジング９０の存在によって組み付けが阻害されることがない。例えば、板バネ９３、９４、固定ビス９５、９６、反射ミラー５６が光学ハウジング９０の側壁等に干渉することなく、反射ミラー５６を保持部材１０１、１０２に固定することができる。
【００８９】
このようにして、図１７に示すように、光学ハウジング９０において、反射ミラー５６が保持部材１０１、１０２に支持された状態となる。ただし、この状態では反射ミラー５６は正しい姿勢となっていない。
【００９０】
次に、作業者は、保持部材１０１、１０２が反射ミラー５６を保持して一体となった構成体を、孔１０１３ｂ、１０１３ｃ、１０２３ｂ、１０２３ｃから突起部９０１ｂ、９０１ａ、９０２ｂ、９０２ａを抜くように移動させる。そして作業者は、上記構成体を図１６の矢印Ｋ方向に９０°程度回転させ、ベース部１０１２、１０２２が載置面９０１、９０２に対向するように保持部材１０１、１０２を光学ハウジング９０に設置し直す。その際、保持部材１０１、１０２の位置決め孔１０１２ｂ、１０１２ｃ、１０２２ｂ、１０２２ｃに光学ハウジング９０の突起部９０１ａ、９０１ｂ、９０２ａ、９０２ｂを係合させる。保持部材１０１、１０２の間隔が既に所定間隔に規制されているため、これら位置決め孔と突起部との係合は円滑である。
【００９１】
次に、図１８に示すように、作業者は、保持部材１０１、１０２を、載置面９０１、９０２にそれぞれビス９７、９８によって固定する。
【００９２】
反射ミラー５６の位置調整方法については、第１の実施の形態で説明したのと同様である。
【００９３】
第２の実施の形態によれば、反射ミラー５６の振動を抑制すること、及び反射ミラー５６の組み付け作業を容易にすること等に関して、第１の実施の形態と同様の効果を奏することができる。
【００９４】
また、反射ミラー５６の組み付けに組立台７等の治具を要しないため、製造に必要な部品点数がいたずらに増えることがない。
【００９５】
また、第１、第２の実施の形態のいずれにおいても、一対の保持部材をいきなり光学ハウジング９０に固定するのではなく、その前の段階で一旦、最終的な姿勢とは異なる姿勢で位置決めし、光学素子を保持させてから改めて光学ハウジング９０に固定する。従って、一対の保持部材を最終的な本固定をしてから行うのとは異なる方向から、光学素子を保持させることができる。そのため、光学素子の締結や固定に際し、他の部材との干渉を回避しやすくなり、光学素子の組み付け作業を容易にすることができる。
【００９６】
ところで、第２の実施の形態では、孔１０１２ｂ、１０１２ｃと孔１０１３ｂ、１０１３ｃとの短手方向の中心位置、及び、孔１０２２ｂ、１０２２ｃと孔１０２３ｂ、１０２３ｃとの短手方向の中心位置は、それぞれ一致する必要がなる。これに対し、第１の実施の形態では、必ずしも、孔９１２ｂ、９１２ｃと孔９１３ｂ、９１３ｃとの中心位置、及び、孔９２２ｂ、９２２ｃと孔９２３ｂ、９２３ｃとの中心位置を、それぞれ一致させる必要はない。ただし両者を一致させない場合は、組立台７に保持部材９１、９２を組み付けたときに、保持部材９１、９２の間隔が上記所定間隔となるように、組立台７のピン７４ａ、７４ｂと位置決めピン７５ａ、７５ｂとの間隔を予め設定しておけばよい。
【００９７】
なお、第１、第２の実施の形態では、保持部材に支持され、ポリゴンミラー５１ａによって偏向されたレーザ光を感光体２１に導く光学素子として、反射ミラー５６を例示したが、これに限られず、他のミラーまたはレンズであってもよい。
【００９８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００９９】
５１ａ  ポリゴンミラー
５６  反射ミラー
９０  光学ハウジング
９１、９２、１０１、１０２  保持部材
９０１、９０２  載置面
９１１、９２１、１０１１、１０２１  支持部
９１２、９２２、１０１２、１０２２  ベース部
９１３、９２３、１０１３、１０２３  連接壁
９１４、９２４、１０１４、１０２４  立設壁
【図１】
0006537227.tif 000002
【図２】
0006537227.tif 000003
【図３】
0006537227.tif 000004
【図４】
0006537227.tif 000005
【図５】
0006537227.tif 000006
【図６】
0006537227.tif 000007
【図７】
0006537227.tif 000008
【図８】
0006537227.tif 000009
【図９】
0006537227.tif 000010
【図１０】
0006537227.tif 000011
【図１１】
0006537227.tif 000012
【図１２】
0006537227.tif 000013
【図１３】
0006537227.tif 000014
【図１４】
0006537227.tif 000015
【図１５】
0006537227.tif 000016
【図１６】
0006537227.tif 000017
【図１７】
0006537227.tif 000018
【図１８】
0006537227.tif 000019